(57)【要約】【課題】テキスト情報を含む潜像画像を第三者に対して目視判別困難にすることを目的とする。【解決手段】赤外光を吸収するブラックインキにより形成されたテキスト情報に対応するテキスト画像１００と、赤外光を透過するプロセスブラックインキにより形成された背景画像とが印刷された印刷物において、前記テキスト画像１００は、複数のテキスト画像要素１０の集合からなり、前記背景画像は、複数の背景画像要素１５の集合からなり、前記テキスト画像要素１０の大きさと前記背景画像要素１５の大きさとの差は目視判別困難な範囲の差となるように設定されていることを特徴とする潜像印刷物により上記課題を解決した。【選択図】  図１
2015221525.tif 000002
【特許請求の範囲】
【請求項１】
赤外光を吸収するブラックインキにより形成されたテキスト情報に対応するテキスト画像と、赤外光を透過するプロセスブラックインキにより形成された背景画像とが印刷された印刷物において、前記テキスト画像は、複数のテキスト画像要素の集合からなり、前記背景画像は、複数の背景画像要素の集合からなり、前記テキスト画像要素の大きさと前記背景画像要素の大きさとの差は目視判別困難な範囲の差となるように設定されていることを特徴とする潜像印刷物。
【請求項２】
前記テキスト画像を前記背景画像が囲んでいることを特徴とする請求項１記載の潜像印刷物。
【請求項３】
前記ブラックインキはカーボンを含むインキであり、前記プロセスブラックインキは、イエロー、マゼンタ、シアン、の三色からなるプロセスブラックインキであることを特徴とする請求項１または２記載の潜像印刷物。
【請求項４】
前記テキスト情報が個人情報であることを特徴とする請求項１〜３いずれか一項記載の潜像印刷物。
【発明の詳細な説明】
【技術分野】
【０００１】
本発明は、潜像印刷物に関し、さらに詳しくは赤外光により目視可能となる潜像印刷物に関するものである。
【背景技術】
【０００２】
一般的なチケット類は何らかの媒体に対して所定の情報が形成された物品として例えばチケット売り場などに代表される店頭で販売されている。
このような一般的なチケット類に対して、近年ではインターネット上で流通する電子チケットと呼ばれるチケット類が存在する。このような電子チケットは、チケットとしての価値を生む電子的なデータ（以下、チケットデータと呼ぶ）であって通常はインターネット上で流通している。
利用者が前記電子チケットを利用する場合は、利用者はインターネット上の商取引によって前記チケットデータを取得する。利用者はインターネット上で取得した前記チケットデータをプリンターで何らかの媒体に印刷して使用することになる。一般的には家庭用のプリンターを用いて何らかの用紙に印刷した印刷物がチケット類となる。
具体的な電子チケットの利用例としては電子航空券が挙げられる。電子航空券として利用する場合は、利用者が印刷したチケット類以外に身分証明書等の提示が求められるもの、あるいは一度入場したナンバーを航空機会社側でデータベースに登録しておき、登録済みのナンバーは通れないように入場管理されているものなどがある。
【０００３】
このようなチケットデータをプリンターで印刷したものには、名前や住所などの登録者の個人情報等が印字されているため、十分に注意を促さないと不正が発生するおそれがある。また、紛失した場合に第三者が悪用するといったことも懸念される。
そこで、個人情報等が印刷された印刷物のテキスト情報を潜像画像として印字することが必要になってくる。
【０００４】
文字や数字などのテキスト情報を潜像画像として、不可視化した潜像印刷物においては、赤外光を透過するプロセスブラックインキと、赤外光を吸収する単色ブラックインキを用いてテキスト情報を潜像画像として形成している。前記プロセスブラックインキも前記単色ブラックインキも肉眼で見たときは同じ黒色として視認される（例えば特許文献１参照）。
【先行技術文献】
【特許文献】
【０００５】
【特許文献１】特許第４２８９２６５号公報
【発明の概要】
【発明が解決しようとする課題】
【０００６】
しかしながら基材上に形成された印刷物においては、プロセスブラックインキで形成した部分と単色ブラックインキで形成した部分との間に例えばインキ表面の反射状態の微妙な差が生じることがある。そのため、前記潜像画像の存在が第三者に知られてしまうおそれがある。
そこで、本発明は、テキスト情報を含む潜像画像を第三者に対して目視判別困難にすることを目的とする。
【課題を解決するための手段】
【０００７】
本発明に係わる潜像印刷物は、以下の各発明により上記課題を解決した。なお、以下の各発明に付した括弧内の符号は、図面に付した符号と対応している。
【０００８】
本発明に係わる第１の発明は、赤外光を吸収するブラックインキにより形成されたテキスト情報に対応するテキスト画像（１００）と、赤外光を透過するプロセスブラックインキにより形成された背景画像とが印刷された印刷物において、前記テキスト画像（１００）は、複数のテキスト画像要素（１０）の集合からなり、前記背景画像は、複数の背景画像要素（１５）の集合からなり、前記テキスト画像要素（１０）の大きさと前記背景画像要素（１５）の大きさとの差は目視判別困難な範囲の差となるように設定されていることを特徴とする潜像印刷物である。
【０００９】
本発明に係わる第２の発明は、第１の発明において、前記テキスト画像（１００）を前記背景画像が囲んでいることを特徴とする潜像印刷物である。
【００１０】
本発明に係わる第３の発明は、第１の発明または第２の発明において、前記ブラックインキはカーボンを含むインキであり、前記プロセスブラックインキは、イエロー、マゼンタ、シアン、の三色からなるプロセスブラックインキであることを特徴とする潜像印刷物である。
【００１１】
本発明に係わる第４の発明は、第１の発明から第３の発明のいずれか一つの発明において、前記テキスト情報が個人情報であることを特徴とする潜像印刷物である。
【発明の効果】
【００１２】
本発明によれば白色光源下において、テキスト画像と背景画像を目視によって明瞭に区別することはできない。従って、テキスト情報が印刷物中に存在することも分らないし、当該テキスト画像に対応するテキスト情報を目視で読み取ることもできない。前記テキスト情報は、赤外領域の読み取りが可能な装置によってのみ読み取ることが可能である。よって当該テキスト情報を第三者に目視で読み取られることが防止できる。さらに当該テキスト情報を第三者にコピーされることを防止できる。
【図面の簡単な説明】
【００１３】
【図１】本実施形態に係わる潜像画像印刷物の拡大図の一例である。
【図２】図１の印刷物を赤外光のもとで表示した一例である。
【図３】本実施形態に係わる潜像画像印刷物の拡大図の別の一例である。
【図４】図３の印刷物を赤外光のもとで表示した一例である。
【図５】本実施形態に係わる潜像画像印刷物の拡大図の別の一例である。
【図６】図５の印刷物を赤外光のもとで表示した一例である。
【図７】本実施形態に係わる画像を表示した端末画面の一例である。
【図８】本実施形態に係わる画像を印刷した印刷物の一例である。
【発明を実施するための形態】
【００１４】
次に、本発明の実施形態について、図面を参照して詳述する。
（実施形態１）
図１は、本実施形態に係わる潜像画像印刷物の拡大図の一例である。図１において、１０はテキスト画像１００を構成するテキスト画像要素、１５は背景画像を構成する背景画像要素を示している。なお、図中テキスト画像要素１０は点線状の丸で囲まれた部分に代表される小領域を示しており、このテキスト画像要素１０が複数集まってテキスト画像１００となる。
図１に示したテキスト画像１００の例においては、テキスト画像１００を構成する各テキスト画像要素１０は互いに部分的に繋がった状態の例を示している。
図１に示したテキスト画像１００は、可視光で目視したときの例であって前記テキスト画像１００はアルファベットのＡを示している。前記テキスト画像１００を複数のテキスト画像要素１０に区分し、区分したテキスト画像が互いに部分的に繋がった状態とすることにより、前記テキスト画像１００はランダムに欠損したような形状となる。
【００１５】
例えば、テキスト画像１００をパソコン、スマートフォン、携帯電話等の端末画面上で直線、曲線、四角形、円形等の線や図形を用いて複数のテキスト画像要素１０に区分して加工する。このように加工することで、複数に区分されたテキスト画像要素１０のそれぞれは、背景画像要素１５の大きさと同じか、もしくは類似の大きさで構成され、さらに複数に区分されたテキスト画像要素１０のそれぞれが互いにランダムに部分的に繋がった状態とすることでランダムに欠損したテキスト画像１００とすることが可能である。
さらに背景画像要素１５がテキスト画像要素１０にまぎれてしまうようにサイズを近づけることが好ましい。
【００１６】
テキスト画像１００は、カーボンを含むブラックインキにより形成されており赤外光を吸収する。前述のようにテキスト画像１００は複数のテキスト画像要素１０の集合である。この場合のテキスト画像要素１０とは、テキスト画像１００を区分したときの最小単位のことである。図１では、テキスト画像１００は、複数のテキスト画像要素１０が連なっており、要素同士が結合している場合を表している。
【００１７】
さらに、テキスト画像１００を囲むように複数の背景画像要素１５が形成されている。複数の背景画像要素１５のそれぞれの色調は黒色であるが、前記背景画像要素１５のそれぞれは、赤外光を透過するイエロー、マゼンタ、シアンの三色からなるプロセスブラックインキで形成されている。図示の例では背景画像要素１５のそれぞれの形状は四角形の絵柄であってランダムな位置に形成した。なお、前記背景画像要素１５としては、丸形、三角形、星形の絵柄をランダムに形成してもよい。
このように、端末画面上でテキスト画像１００と背景画像要素１５からなる潜像画像を設定し、プリンターで印刷を施すと潜像画像が印刷された印刷物が出力される。
なお、図１においては可視光のもとで表示した例を想定しており、従って背景画像要素１５とテキスト画像要素１０は共に同じハッチングで示した。
【００１８】
図２は、図１の印刷物を赤外光のもとで表示した一例である。
なお図２においては、赤外光のもとで表示されるテキスト画像要素１０を黒ベタで示した。
図１に示した印刷物を白色光源のもとで目視した場合と、図２に示した赤外光のもとで目視した場合について対比検討した。
【００１９】
その結果、図１に示したようにテキスト画像要素１０の大きさと背景画像要素１５の大きさとの差が殆どない場合は、通常の視力を有する者においてはテキスト画像要素１０と背景画像要素１５とは互いに同色（ハッチングで図示）で表示されるため区別できず、したがって、複数の背景画像要素１５により構成された背景画像の中に複数のテキスト画像要素１０により構成されたテキスト画像１００が潜像化されてテキスト画像１００を目視判別することは困難であった。
図２は、赤外光のもとで目視した場合で、背景画像要素１５は目視されず、テキスト画像１００のみを目視判別することが可能となった。
なお、背景画像要素１５ならびにテキスト画像要素１０となる画像要素の大きさは、それぞれの画像要素の最少の長さが０．０１ｍｍ以上であり、最大の長さが１００ｍｍ以下となる範囲で設定可能である。
【００２０】
（実施形態２）
図３は、本実施形態に係わる潜像画像印刷物の拡大図の別の一例である。
図３において、２０はテキスト画像１１０を構成するテキスト画像要素、２５は背景画像を構成する背景画像要素を示している。図３でも、図１と同様に背景画像要素２５とテキスト画像要素２０は共に同じハッチングで示した。なお、図中テキスト画像要素２０は点線状の丸で囲まれた部分に代表される小領域を示しており、このテキスト画像要素２０が複数集まってテキスト画像１１０となる。
図３に示したテキスト画像１１０の例においては、テキスト画像１１０を構成する各テキスト画像要素２０は点線状の丸で囲まれた部分のように互いに分離独立した状態のテキスト画像要素２０を含んだ例を示している。
図３に示したテキスト画像１１０は、可視光で目視したときの例であって前記テキスト画像１１０はアルファベットのＡを示している。前記テキスト画像１１０を直線状の区分線でランダムに区分することで、図示のように区分された複数のテキスト画像要素２０のそれぞれの大きさに差が生じたり、あるいはテキスト画像要素２０が互いに分離独立した状態となったり、互いに分離独立せずに部分的に繋がったりした状態のものが混在している。
【００２１】
図３に示したテキスト画像１１０は、ブラックインキはカーボンを含んでおり赤外光を吸収する。背景画像要素２５は、イエロー、マゼンタ、シアンの三色からなるプロセスブラックインキである。
なお、図３においては、便宜的に所定の太さの白色実線で表した区分線によりテキスト画像１１０をランダムに区分した。前記区分線の太さを変えることにより技術的に高度な偽造防止が可能となる。
すなわち、図３に示した複数のテキスト画像要素２０のそれぞれの大きさ、あるいはテキスト画像要素２０が互いに分離独立した状態となったり、互いに分離独立せずに部分的に繋がったりした状態を前記区分線によりコントロールすることが可能となる。
【００２２】
図４は、図３の印刷物を赤外光のもとで表示した一例である。
図３に示した印刷物を白色光源のもとで目視した場合と、図４に示した赤外光のもとで目視した場合について対比検討した。
【００２３】
その結果、図３に示したように前記区分線で区分された領域のテキスト画像要素２０の大きさと背景画像要素２５の大きさとの差が殆どない場合は、通常の視力を有する者においてはテキスト画像要素２０と背景画像要素２５とが区別できず、したがって、複数の背景画像要素２５により構成された背景画像の中に複数のテキスト画像要素２０により構成されたテキスト画像１１０が潜像化されてテキスト画像１１０を目視判別することは困難であった。
図４は、赤外光のもとで目視した場合で、背景画像要素２５は目視されず、テキスト画像１１０のみを目視判別することが可能となった。図４においても、図２と同様にテキスト画像１１０を黒ベタで示した。
なお、背景画像要素２５ならびにテキスト画像要素２０となる画像要素の大きさは、それぞれの画像要素の最少の長さが０．０１ｍｍ以上であり、最大の長さが１００ｍｍ以下となる範囲で設定可能である。前記区分線の太さは０．００１ｍｍ〜１０ｍｍの範囲で設定可能である。
【００２４】
（実施形態３）
図５は、本実施形態に係わる潜像画像拡大図の別の一例である。
図５において、３０はテキスト画像要素、３５は背景画像要素、１２０はテキスト画像を示している。図５でも、図１と同様に背景画像要素３５とテキスト画像要素３０は共に同じハッチングで示した。
図５のテキスト画像１２０は、テキスト画像１２０を構成する各テキスト画像要素３０は点線状の丸で囲まれた部分のように互いに複数のテキスト画像要素３０同士が結合して形成されている。このようにすることにより、テキスト画像１２０はランダムに欠損した形状となる。
なお、図５においては、便宜的に所定の太さの白色実線で表した区分線によりテキスト画像１２０をランダムに区分した。前記区分線の太さを変えることにより実施形態２で示した例と同様に技術的に高度な偽造防止が可能となる。
【００２５】
図６は、図５の印刷物を赤外光のもとで表示した一例である。
図６においても、図２と同様にテキスト画像１２０を黒ベタで示した。
図５に示した印刷物を白色光源のもとで目視した場合と、図６に示した赤外光のもとで目視した場合について対比検討した。
【００２６】
その結果、図５に示したように前記区分線で区分された領域の結合したテキスト画像要素３０の大きさと、背景画像要素３５の大きさとの差が殆どない場合は、通常の視力を有する者においてはテキスト画像要素３０と背景画像要素３５とが区別できず、したがって、複数の背景画像要素３５により構成された背景画像の中に複数のテキスト画像要素３０により構成されたテキスト画像１２０が潜像化されてテキスト画像１２０を目視判別することは困難であった。
図６は、赤外光のもとで目視した場合で、背景画像要素３５は目視されず、テキスト画像１２０のみを目視判別することが可能となった。
【００２７】
図６は、図５の印刷物を赤外光のもとで表示した一例である。図６は、赤外光のもとで目視した場合で、背景画像要素３５は目視されず、テキスト画像１２０のみを目視判別することが可能となる。
なお、背景画像要素３５ならびにテキスト画像要素３０となる画像要素の大きさは、それぞれの画像要素の最少の長さが０．０１ｍｍ以上であり、最大の長さが１００ｍｍ以下となる範囲で設定可能である。前記区分線の太さは０．００１ｍｍ〜１０ｍｍの範囲で設定可能である。
【００２８】
（実施形態４）
図７は、本実施形態に係わる画像を表示した端末画面の一例である。
図中、５００は利用者が入力する欄、５１０は企業が発行する際に入力する欄、５２０は利用者が申し込んだ内容が反映される欄を示している。
図７に示すように、端末画面上で利用者が入力する欄５００には、例えば、名前ＡＢＣや住所ＤＥＦ等のテキスト情報でもある個人情報が入力されている。個人情報とは、特定の個人（人間）を識別することができる情報を指すものであり、テキスト画像が含まれている。さらに電子航空券であれば、搭乗する飛行機を特定する情報、出発場所、出発日、出発予定時刻、到着場所、到着日、到着予定時刻等の具体的な内容が入力されている。
【００２９】
図８は、本実施形態に係わる画像を印刷した印刷物の一例である。
図８は例えば、Ａ４用紙など出力印刷物を表示したものである。図８において、６００は利用者が入力する欄、６１０は企業側が発行する際に入力する欄、６２０は利用者が申し込んだ内容が反映される欄、７００は各欄の潜像印刷領域を示している。端末画面上で潜像画像を設定し、印刷を施すと図８に示されるような潜像画像が印刷された印刷物が出力される。
【００３０】
（変形例）
（１）実施形態１において、テキスト画像要素１０ならびに背景画像要素１５の形状として四角形の例を示したが、前記形状は任意の形状でよく、例えば、丸形、三角形、星形などであってもよい。
（２）実施形態２ならびに実施形態３において、区分線として実線を用いた例を示したが、区分線は実線あるいは直線に限られるものではなく、点線でも曲線でもよい。
【符号の説明】
【００３１】
１０    テキスト画像要素
１５    背景画像要素
２０    テキスト画像要素
２５    背景画像要素
３０    テキスト画像要素
３５    背景画像要素
１００  テキスト画像
１１０  テキスト画像
１２０  テキスト画像
５００  利用者が入力する欄
５１０  企業が発行する際に入力する欄
５２０  利用者が申し込んだ内容が反映される欄
６００  利用者が入力する欄
６１０  企業が発行する際に入力する欄
６２０  利用者が申し込んだ内容が反映される欄
７００  各欄の潜像印刷領域
【図１】
2015221525.tif 000003
【図２】
2015221525.tif 000004
【図３】
2015221525.tif 000005
【図４】
2015221525.tif 000006
【図５】
2015221525.tif 000007
【図６】
2015221525.tif 000008
【図７】
2015221525.tif 000009
【図８】
2015221525.tif 000010